(57)【要約】【課題】旋転係合式インターネットジョイント構造の提供。【解決手段】本考案の旋転係合式インターネットジョイント構造は、インターネット線上に接続される連接ジョイントの設計で、主に、ジョイント内部に旋転係合構造を増設し、旋合、連動、抵推、嵌合の原理により、インターネットジョイントを界面連接座に快速に結合し、ジョイントと界面連接座間の接合と防脱応力を補助、並びに、強化すると共に、更に、結合機能により、外力が接触したり、不当に引かれたりして、公知のインターネットジョイントが設置する嵌合片の変形、損壊、或いは、導接不良等の問題を排除し、本案のインターネットジョイントは固定上、更に、確実で、安定する。【選択図】    図２
0003135799.tif 000002
【実用新案登録請求の範囲】
【請求項１】
旋転係合式インターネットジョイント構造であって、全体の構造は、上蓋、止動棒、左フック、右フック、止動棒復位ばね、フック復位ばね、固定座、旋転つまみ、下蓋、及び、ジョイント、からなり、その特徴は、
前記上下蓋両者は結合後、内に空槽を形成し、前記空槽は前にジョイントを結合し、後に形成される円嵌槽は前記旋転つまみを収め、旋転方式により、前記止動棒と前記左右フックを旋動すし、
前記左右フックは前記ジョイントの上縁面に位置し、反対向けの対称構造で、前端はフック先を有して、界面連接座の前向けのチャンネルに伸入し、両側の頂縁部に嵌合され、前記左右フックは中段部の枢孔により、前記固定座の枢軸上に枢合され、嵌孔により前記フック復位ばねを嵌合し、弾力作用により、開放と閉合の二種の使用形態模式を形成し、
前記止動棒は、斜推部、推抵部、嵌合部からなり、前記左右フックの後向けの開口内に位置し、前記旋転つまみが設ける階層斜推部構造が前記止動棒の斜推部に対応し、前記止動棒の推抵部は、前記左右フックの後開口位置に対応し、進入と退位開放の二種の作動模式を達成し、この他、前記止動棒の退位機能は、前記止動棒復位ばねを前記固定座のスリーブに接続した後、もう一端が更に嵌合部に嵌合されて、弾力と旋転つまにより、前記止動棒が進入と退位の二種の作動模式を達成することを特徴とする旋転係合式インターネットジョイント構造。
【請求項２】
前記旋転つまに前端に設けられた階層斜推部構造は、開始ブロックと終点ブロックを有して、旋転抵推の開始と終点の抵止効果を形成することを特徴とする請求項１に記載の旋転係合式インターネットジョイント構造。
【請求項３】
前記固定座は抵板を設け、前記止動棒のシフト、退位、距離を制限することを特徴とする請求項１に記載の旋転係合式インターネットジョイント構造。
【考案の詳細な説明】
【技術分野】
【０００１】
本考案は旋転係合式インターネットジョイント構造に関するものであって、特に、公知のインターネットジョイント使用模式を改善し、確実で安定した挿入と抜出を達成するインターネットジョイント構造に関するものである。
【背景技術】
【０００２】
公知のインターネットジョイントは図７で示されるように、単一構造上に、挿入片A１、導槽A２、及び、ケーブルA３からなる。挿入片A１の構造は、主に、コンピュータやデジタル製品の界面連接座に嵌固する設計で、具備する弾力開張特性により、快速に縮合、及び、角度拡張変化作用後、連接座の槽体内に挿入、嵌固し、連接効果を形成するものである。
【０００３】
公知のインターネットジョイントの嵌合構造と機能を理解した後、更に、現有のインターネットジョイントA１０は、基本構造と形態を変更できない状況下で、挿入片A１がこの種のジョイントA１０の最大の致命傷となっている。よって、長期に渡り、以下のような問題と欠点が存在する。
【０００４】
１．  
公知のインターネットコネクタA１０が発生する各問題は、生産、運送、使用、及び、不慮の要素によるもので、挿入片A１が変形したり、折れて損壊するなどである。また、ジョイントA１０がワイヤボンディング工程終了後、小さな挿入片A1の損壊により、ケーブル全体の損耗となり、業者が高額な損失を被るばかりか、消費者側のコストも高くなる。
２．  
公知のインターネットコネクタA１０が承受する嵌合力が完全に挿入片A１上に加えられ、挿入片A１が不当な外力を受けるか、或いは、過多な力により引かれた場合、ジョイントA１０は挿入片A１の弾性角度が過大、或いは、過小なことにより脱離を生じ、導接不良を招き、周辺器材の使用品質が悪くなり、且つ、不良率が高くなる。
３．  
公知のインターネットジョイントA１０は、コンピュータやデジタル製品の界面連接座槽内に挿入された後、挿入片Ａ１が露出できる長さは限りがある。よって、界面連接座槽から抜く時、挿入片Ａ１に施力するのは困難で、使用者の爪を傷つけるなど、使用上の安全の問題がある。
【考案の開示】
【考案が解決しようとする課題】
【０００５】
本考案の目的は、旋転係合式インターネットジョイント構造を提供し、導接が確実で、嵌合応力を強化し、使用が容易である等の長所を有し、公知のインターネットジョイント挿入片の欠点を改善し、使用者が更に便利に、円滑に使用でき、且つ、ジョイントの使用品質を保障し、寿命を延長することにある。
【課題を解決するための手段】
【０００６】
本考案の旋転係合式インターネットジョイント構造は、インターネット線上に接続される連接ジョイントの設計で、主に、ジョイント内部に旋転係合構造を増設し、旋合、連動、抵推、嵌合の原理により、インターネットジョイントを界面連接座に快速に結合し、ジョイントと界面連接座間の接合と防脱応力を補助、並びに、強化すると共に、更に、結合機能により、外力が接触したり、不当に引かれたりして、公知のインターネットジョイントが設置する嵌合片の変形、損壊、或いは、導接不良等の問題を排除し、本案のインターネットジョイントは固定上、更に、確実で、安定する。
【考案の効果】
【０００７】
本考案により、使用者、或いは、操作者が更に便利に、円滑に使用でき、公知のインターネットジョイントの使用模式を完全に突破する以外に、ジョイントの使用品質を保障し、寿命を延長することができる。
【考案を実施するための最良の形態】
【０００８】
図１と図２は本考案の全体構造を示す図で、上蓋１、止動棒２、左フック３、右フック４、止動棒復位ばね５、フック復位ばね６、固定座７、旋転つまみ８、下蓋９、及び、ジョイント１０、からなる。上下蓋１、９両者は結合後、内に空槽１１を形成し、空槽１１は前にジョイント１０を結合し、後に形成される円嵌槽１２は旋転つまみ８を収め、旋転方式により、止動棒２と左右フック３、４を旋動する。
【０００９】
左右フック３、４は反対向けの対称構造で、前端はフック先３１、４１を有して、開閉方式で界面連接座Bの前向けのチャンネルB１両側の頂縁部B２に嵌合され、図５で示されるような嵌合式連結の構造を形成する。次に、左右フック３、４は中段部の枢孔３２、４２により、固定座７の枢軸７１上に枢合され、後ろは嵌孔３３、４３によりフック復位ばね６の両端脚６１を嵌合し、反対向けに対称な左右フック３，４はフック復位ばね６の弾力作用により、開放と閉合の二種の使用形態模式を形成する。
【００１０】
図２で示されるように、左右フック３、４後部開口位置に設置される止動棒２は、旋転つまみ８前端に設けられた階層斜推部構造８１が止動棒２終端に設けられた斜推部２１に対応し、旋向方式で駆動され、「進入」と「退位」の二種の作動模式を形成する。且つ、この二種の模式は、直接、左右フック３、４に影響する。進入とは、即ち、止動棒２が前にシフトし、直接、左右フック３、４に抵推し、左右フックが開放状態になることである。反対に、退位は、止動棒が止動棒復位ばね５の復位弾力作用を受けて、止動棒２が元の位置に戻り、左右フック３、４の推力を釈放し、左右フック３、４が回復し、図５と図６で示されるような閉合と開放状態になる。
【００１１】
図４で示されるように、止動棒２の構造は、斜推部２１、推抵部２２、嵌合部２３からなる。斜推部２１は旋転つまみが設ける階層斜推部構造８１に対応し、旋転斜向推移方式により、止動棒２の移動距離を変化させ、且つ、階層斜推部構造８１内は、開始ブロック８１１と終点ブロック８１２を有して、旋転抵推の開始と終点の抵止効果を形成する。止動棒の推抵部２２は、左右フック３、４の後開口位置に対応し、固定座7の抵板７２により、シフト、退位、距離を制限し、進入と退位開放の二種の作動模式を達成する。この他、止動棒２の退位機能は、止動棒復位ばねを固定座のスリーブ７３に接続した後、一端が更に嵌合部２３に嵌合されて、止動棒復位ばね５がばね作用力により、止動棒２を復位させて、連続性の旋合、連動と抵推等の主要機能を完成させる。
【００１２】
図３を参照すると、左右フック３，４はジョイント１０上縁面に位置し、ジョイント１０が界面連接座Cに嵌合する時、左右フック３、４の開放と閉合模式により、左右フック３，４が連接座Bの前のチャンネルB１内に進入し、両側の頂縁部B２で丁度嵌合、或いは、開放し、図５、図６で示されるような閉合と開放の功能を形成する。
【図面の簡単な説明】
【００１３】
【図１】本考案の好ましい実施例の外観立体図である。
【図２】本考案の各素子の分解構造図である。
【図３】本考案の側視平面構造図である。
【図４】図３のC-Cの断面構造図である。
【図５】本考案のフック閉合状態の動作図である。
【図６】本考案のフック開放状態の動作図である。
【図７】公知のインターネットジョイント構造の外観図である。
【符号の説明】
【００１４】
１  上蓋
１１  空槽  
１２  円嵌槽
２  止動棒
２１  斜推部
２２  推抵部
２３  嵌合部
３  左フック
３１  フック先
３２  枢孔
３３  嵌孔
４  右フック
４１  フック先
４３  嵌孔
５  止動棒復位ばね
５  フック復位ばね
６１  端脚
７  固定座
７１  枢軸
７２  抵板
７３  スリーブ
８  旋転つまみ
８１  階層斜推部構造
８１１  開始ブロック
８１２  終端ブロック
９  下蓋
１０  ジョイント
B  介面連接座
B１  チャンネル    
B２  頂縁部
【図１】
0003135799.tif 000003
【図２】
0003135799.tif 000004
【図３】
0003135799.tif 000005
【図４】
0003135799.tif 000006
【図５】
0003135799.tif 000007
【図６】
0003135799.tif 000008
【図７】
0003135799.tif 000009